(57)【要約】      （修正有）【課題】筆記具に名入れを行う際の見本状態を、実物に近い状態で確認することができるものを提供する。【解決手段】複数のシート２，３間に用紙１００を挟持可能なクリアファイル１であって、シート２面上に、複数の異なる形態の筆記具形状を実物大で印刷した印刷部１０ａを設けると共に、前記筆記具形状の印刷部１０ａにおける名入れが可能な部位を透明部とし、且つ当該透明部の外周部をシート外面側から内部が視認しにくい構成とする。クリアファイル１によると、名刺１００のロゴ１００ａがシート２の透明部５０ａを通して見ることになるので、名入れを行った現物の状態と、クリアファイル１で名入れ状態を確認した状態とが近いものにできた。【選択図】図２
0003149750.tif 000002
【実用新案登録請求の範囲】
【請求項１】
複数のシート間に用紙を挟持可能なクリアファイルであって、シート面上に、複数の異なる形態の筆記具形状を実物大で印刷した印刷部を設けると共に、前記筆記具形状の印刷部における名入れが可能な部位を透明部とし、且つ当該透明部の外周部をシート外面側から内部が視認しにくい構成としたことを特徴とする名入れ状態見本用クリアファイル。
【考案の詳細な説明】
【技術分野】
【０００１】
本考案は、シート間に用紙を挟持可能なクリアファイルに関するものである。
【背景技術】
【０００２】
従来、薄いシートを組み合わせて形成したクリアファイルは、表表紙や裏表紙となるシート面が広いことから、特開平９−３０９２９１号公報や実用新案登録第３１１０９３６号公報にあるように、シート面上に企業名や模様などの印刷を施して、無償で配布する宣伝用のノベルティとして広く利用されている。また筆記具も、多くの人に使われる機会が多いことから、筆記具の表面に企業名や企業ロゴ等の印刷いわゆる名入れを施してノベルティとして利用されることが多い。しかしながら筆記具は種類が多く、名入れをした筆記具を発注する際に、どの筆記具を選ぶか選択に困ることが多く、また筆記具の現物や写真あるいは図面を見ただけでは、実際に名入れを行った状態の筆記具のイメージを掴むことが難しかった。さらに筆記具は物が小さく、既製の筆記具に名入れを行う場合には、それぞれの形状において、名入れを行うことができる部位や範囲が限定されていることから、選択した筆記具の名入れスペースに対して名入れが適合するかどうかを検討する必要がある。このようなことから名入れの発注をする前には、デザイン画を作成して確認を行うという作業が必要になってしまっていた。
【先行技術文献】
【特許文献】
【０００３】
【特許文献１】特開平９−３０９２９１号公報
【特許文献２】実用新案登録第３１１０９３６号公報
【考案の概要】
【考案が解決しようとする課題】
【０００４】
本考案は、筆記具に名入れを行う際の見本状態を、実物に近い状態で確認することができるものを提供することを目的とする。
【課題を解決するための手段】
【０００５】
本考案は、
「複数のシート間に用紙を挟持可能なクリアファイルであって、シート面上に、複数の異なる形態の筆記具形状を実物大で印刷した印刷部を設けると共に、前記筆記具形状の印刷部における名入れが可能な部位を透明部とし、且つ当該透明部の外周部をシート外面側から内部が視認しにくい構成としたことを特徴とする名入れ状態見本用クリアファイル。」である。
【０００６】
本考案におけるクリアファイルへ印刷を行う筆記具形状の印刷部は、クリアファイルを構成する表面側シートあるいは裏面側シートのどちらに設けてもよく、印刷層はクリアファイルの外側となる外面でも用紙を挟持する内側となる内面のどちらに設けてもよい。また筆記具形状の印刷部に設ける透明部は、クリアファイルに挟持させた用紙に設けてある模様や文字からなる表示体が透視できるものとし、透明部の外周部は、有色のインキ層を設けたりあるいはシート面に細かい凹凸を形成するなどして、シート外面側からクリアファイルの内側に挟持した用紙および用紙の表示体を視認しにくくして、筆記具形状の印刷部と透明部から見える用紙の表示体との結合した状態、つまり名入れを行った筆記具の見本状態を見やすくさせるものである。
【考案の効果】
【０００７】
本考案では、クリアファイルを構成するシート間に、模様や文字等の表示体が設けられた用紙、例えば発注者側の名刺を挟持して、筆記具形状の印刷部に設けた透明部から名刺に設けてある企業名やロゴ等の表示体を見ることで、名入れを行った筆記具の見本状態を実物大で確認することができるものとなった。また一つのシート面上に、複数の異なる形態の筆記具形状を印刷することで、名刺などの用紙に設けられた表示体をずらしながら、どの筆記具の名入れ状態がよいかを簡単に確認することができるものとなり、クリアファイルの利点を生かし、シート間に用紙を挟持させることで、位置を微調整したいときの用紙のずれを防止することができる。
さらには本考案のクリアファイル自体を販促用にサンプルとして配布することにより、発注者側が必要なときに、単独で、容易に、筆記具への名入れ見本状態を確認して発注を行うことができるものとなる。この場合、本考案のクリアファイルの利用方法を解りやすくするためとして、表示体が各筆記具形状の印刷部に設けた透明部から見えるようサンプル模様やサンプル文字等の表示体を複数設けた用紙を、クリアファイルに挟んで一緒に配布することが好ましい。
【図面の簡単な説明】
【０００８】
【図１】図１は本実施例のクリアファイルを表側から見た図である。
【図２】図２はクリアファイルの表シートを捲った状態の図である。
【図３】図３は名刺を筆記具形状の印刷部の位置に配した状態を拡大した図である。
【図４】図４は名刺を筆記具形状の印刷部の位置に配した状態を拡大した図である。
【図５】図５は名刺を筆記具形状の印刷部の位置に配した状態を拡大した図である。
【図６】図６は名入れを行った現物の斜視図である。
【図７】図７はリーフレットに設けてあるロゴにて、本考案のクリアファイルで名入れ状態を確認するときの図である。
【考案を実施するための形態】
【０００９】
筆記具に名入れを行う際の見本状態を、実物に近い状態で確認することができるクリアファイルを実現した。
【実施例】
【００１０】
次に図面を参照しながら本実施例の説明を行う。図１は本実施例のクリアファイルを外面側から見た図である。図面におけるハッチングは印刷を施してある箇所を示し、ハッチングの角度の違いは印刷した色を概念的に表現したものである。また図面をわかりやすくするために、一部の符号は図面内に設けてある。
【００１１】
クリアファイル１は、長方形形状である表シート２と裏シート３とを、折返部４にて折り返し、下方を溶着部５にて接合したものである。表シート２の右側縁には半円形状の切欠部２ａを設け、切欠部２ａから裏シート３の縁を露出させてシートを捲りやすい構造にしてある。また、図１に示すように本実施例のクリアファイル１は、６種類の筆記具形状の印刷部１０，２０，３０，４０，５０，６０を横にした状態で印刷してあり、各筆記具形状の印刷部の左側には、それぞれの製品名を印刷してある。また各筆記具形状の印刷部には、印刷を行わずにシート自体の透明性を残した透明部１０ａ，２０ａ，３０ａ，４０ａ，５０ａ，６０ａを設けて名入れが可能な部位を示してあり、さらに各透明部の内側には、名入れを行うことができる範囲を示す目立たない細い破線からなる四角形状の枠１０ｂ，２０ｂ，３０ｂ，４０ｂ，５０ｂ，６０ｂを設けてある。
【００１２】
本実施例では、各筆記具形状の印刷部を、既存である筆記具と実物大の外形形状で印刷してあり、印刷部における右上がりのハッチングの領域を白色で印刷し、左上がりハッチングの領域を灰色で印刷してある。また図面を見やすくするために図示は行わないが、本実施例の表シート２は、筆記具形状の印刷部および製品名を印刷した各箇所に設けた長円形状の枠内以外の箇所を、クリーム色で印刷してある。尚、全ての印刷は、表シート２と裏シート３とを溶着する前に、内側となる表シート２の内面に印刷してある。
【００１３】
次に図を用いて、クリアファイル１に印刷されている筆記具に対して名入れを行った状態をイメージする際の作業について説明を行う。図２はクリアファイル１の表シート２を捲って表シート２と裏シート３との間に名刺１００を挟持させるときの図である。図２に示すように名刺１００には、丸で囲まれた三つのＰＰＰのマークが企業のロゴ１００ａとして記載されている。この名刺１００を、筆記具形状の印刷部の位置に配した状態を拡大したのが図３，図４，図５である。図３は、名刺１００を製品名Ａである筆記具形状の印刷部１０の透明部１０ａにロゴ１００ａを位置させ、枠１０ｂ内にロゴ１００ａを位置合わせした状態である。図４は、名刺１００を製品名Ｆである筆記具形状の印刷部６０の透明部６０ａにロゴ１００ａを位置させ、枠６０ｃ内にロゴ１００ａを位置合わせした状態である。また図５に示す製品名Ｅの筆記具は、名入れを行う箇所が透明な軸筒の内部にある内軸に印刷を行うことになるが、本考案のクリアファイル１によると、名刺１００のロゴ１００ａがシート２の透明部５０ａを通して見ることになるので、図６に示すように名入れを行った現物の状態と、図５に示したようにクリアファイル１で名入れ状態を確認した状態とが近いものとできた。
【００１４】
また図３〜図５に示すように、本実施例のクリアファイル１では、ロゴ１００ａを除くと名刺１００の大部分が、白色または灰色に印刷した筆記具形状の印刷部あるいはクリーム色に印刷した筆記具形状の印刷部の外周部に隠れるので、名入れ状態を確認する上で、名刺１００の存在が目立って邪魔をしてしまうことはなかった。尚、図３〜図５においては、位置関係を示すために、表シート２の裏側に名刺１００を仮想的に記載してある。
【００１５】
図７は、Ａ４サイズのリーフレット２００に設けてあるロゴ１００ａにて、本実施例のクリアファイル１を用いて名入れ状態を確認するときの図である。図に示すように、リーフレット２００に記載してあるロゴ１００ａは用紙の右下に位置しているため、リーフレット２００の左側を折って、各筆記具形状の印刷部の透明部にロゴ１００ａが位置できるようにして使用した。
【産業上の利用可能性】
【００１６】
本考案の名入れ状態見本用クリアファイルは、筆記具の名入れ以外にも、クリアファイルに実物大で印刷できる品物であれば、適用させることができる。
【符号の説明】
【００１７】
１…クリアファイル、２…表シート、３…裏シート、４…折返部、５…溶着部、
１０，２０，３０，４０，５０，６０…筆記具形状の印刷部、
１０ａ，２０ａ，３０ａ，４０ａ，５０ａ，６０ａ…透明部、
１０ｂ，２０ｂ，３０ｂ，４０ｂ，５０ｂ，６０ｂ…枠、
２００…リーフレット。
【図１】
0003149750.tif 000003
【図２】
0003149750.tif 000004
【図３】
0003149750.tif 000005
【図４】
0003149750.tif 000006
【図５】
0003149750.tif 000007
【図６】
0003149750.tif 000008
【図７】
0003149750.tif 000009